(57)【要約】【課題】  遊技者にとってリールの動作形態に多様性を持たせることで意外性や趣向性において多彩な演出が行える構成を備えた遊技機を提供する。【解決手段】  図柄表示部材が表面に設けられて回転可能なリール部材Ｒ１〜３を備え、該リール部材Ｒ１〜３の停止位置の図柄の組み合せを選択可能な構成を備えた遊技機１００において、上記リール部材Ｒ１〜３は、これら各リール部材Ｒ１〜３が独立して遊技機１００の前後方向に移動可能に設けられていることを特徴とする。【選択図】    図５
2005270207.tif 000002
【特許請求の範囲】
【請求項１】
図柄表示部材が表面に設けられて回転可能な複数のリール部材を備え、該リール部材の停止位置の図柄の組み合せを選択可能な構成を備えた遊技機において、
上記リール部材は、各リール部材が独立して遊技機の前後方向に移動可能に設けられていることを特徴とする遊技機。
【請求項２】
請求項１記載の遊技機において、
上記リール部材は、遊技者からの停止指令あるいは抽選結果に応じていずれか若しくは複数が選択されて前後の移動形態が設定されることを特徴とする遊技機。
【請求項３】
請求項１または２記載の遊技機において、
上記リール部材は、その動作量あるいは動作方向を含む動作状態が変更可能な構成を備えていることを特徴とする遊技機。
【請求項４】
請求項１乃至３のうちの一つに記載の遊技機において、
上記リール部材は、回転支軸の支持部がリール部材設置部に設けられている駆動源に連動可能な構成を備え、該駆動源の駆動状態に応じ遊技機の前後方向に移動可能であることを特徴とする遊技機。
【請求項５】
請求項４記載の遊技機において、
上記駆動源は、遊技者からの停止指令あるいは抽選結果により前後動作を行うリール部材を選択する制御部によって駆動制御されることを特徴とする遊技機。
【発明の詳細な説明】
【技術分野】
【０００１】
本発明は遊技機に関し、さらに詳しくは、パチンコ遊技機、スロットマシンあるいは雀球機さらにはパチスロマシンやゲームセンタで用いられるゲーム機などの箱形遊技機に装備されている回転リール機構に関する。
【背景技術】
【０００２】
周知のように、遊技機、特に箱型遊技機の一つであるスロットマシンにおいては、スタートレバーあるいはスタートボタンを操作することにより複数個のリールを回転させ、ストップボタンを操作させることで各リールの回転を順次停止させ、停止した際のリールの図柄の組み合わせによりメダルあるいは球を払い出す構成を用いたものがある。
【０００３】
図柄を表示するために用いられるリールは、種々の図柄を表示したリールテープなどを外周面に貼り付けられたドラムが用いられ、ドラムはステッピングモータなどのデジタル制御が可能な駆動源によって駆動されるようになっている。
リールは、リールテープに表示されている図柄の位置を割り出し、遊技者による停止指令が出された際の抽選結果に応じて図柄の表示を設定することができるが、このための構成として、リールに設けてある基準位置表示部としての遮光部と、遮光部の通過を光学的に検知可能なフォトセンサとを組み合わせた構成がある。（例えば、特許文献１）
【０００４】
【特許文献１】特開２００２−２４８１９９号公報（段落「００３４」欄）
【発明の開示】
【発明が解決しようとする課題】
【０００５】
ところで、リールは周面に設けてあるリールテープの表示を連続的に変化させることで遊技者への図柄の変化状態を識別させる構成とするために、単に一様な外径を有したドラム構造を採用することが多い。
このため、遊技機に装備されている複数のリール全てが同じような動作を行うことになり、遊技者にとっては単純な遊技展開となり意外性や興趣性に欠ける印象があることは否めない。
【０００６】
本発明の目的は、上記従来の遊技機、特にリールを用いた遊技機における問題に鑑み、遊技者にとってリールの動作形態に多様性を持たせることで意外性や趣向性において多彩な演出が行える構成を備えた遊技機を提供することにある。
【課題を解決するための手段】
【０００７】
請求項１記載の発明は、図柄表示部材が表面に設けられて回転可能な複数のリール部材を備え、該リール部材の停止位置の図柄の組み合せを選択可能な構成を備えた遊技機において、上記リール部材は、各リール部材が独立して遊技機の前後方向に移動可能に設けられていることを特徴としている。
【０００８】
請求項２記載の発明は、請求項１記載の発明に加えて、
上記リール部材は、遊技者からの停止指令あるいは抽選結果に応じていずれか若しくは複数が選択されて前後の移動形態が設定されることを特徴としている。
【０００９】
請求項３記載の発明は、請求項１または２記載の発明に加えて、上記リール部材は、その動作量およびまたは動作状態が変更可能な構成を備えていることを特徴としている。
【００１０】
請求項４記載の発明は、請求項１乃至３のうちの一つに記載の発明に加えて、上記リール部材は、回転支軸の支持部がリール部材設置部に設けられている駆動源に連動可能な構成を備え、該駆動源の駆動状態に応じ遊技機の前後方向に移動可能であることを特徴としている。
【００１１】
請求項５記載の発明は、請求項４記載の発明に加えて、上記駆動源は、遊技者からの停止指令あるいは抽選結果により前後動作を行うリール部材を選択する制御部によって駆動制御されることを特徴としている。
【発明の効果】
【００１２】
請求項１および２記載の発明によれば、リール部材が独立して遊技機の前後方向に移動可能に設けられているので、単純な回転動作のみでなく前後動という意外性のあるリール部材の動作形態が得られることにより意外性や期待感などの興趣性を高めることが可能となる。特に、請求項２記載の発明においては、遊技者からの停止指令あるいは抽選結果に応じて前後動するので、遊技者本人の意志に合わせたリール部材の動作を行わせることもできるので、遊技への参加意識を高めることが可能となる。
【００１３】
請求項３記載の発明によれば、リール部材の動作量およびまたは動作状態を変更可能であるので、遊技展開に多様性を持たせることが可能となる。
【００１４】
請求項４および５記載の発明によれば、リール部材の回転支軸を支持する支持部がリール部材設置部に設けてる駆動源を用いて前後動されるようになっており、しかも、前後動を司る駆動源は、遊技者からのリール部材の停止指令を受信したり停止指令に基づき抽選を行う制御部に対応しているので、リール部材独自の駆動制御機構を準備する必要をなくして構成の複雑化を招くことなく遊技展開の意外性や多様性を得ることが可能となる。
【発明を実施するための最良の形態】
【００１５】
以下、図に示す実施例により本発明の実施のための最良の形態について説明する。
【実施例】
【００１６】
本発明の対象である遊技機として、スロットマシンを対象としてその構成の概略を説明する。
【００１７】
図１は本スロットマシン１００の外部構造を表した平面図、図２は本スロットマシン１００の内部構造を表した平面図である。
【００１８】
図１においてスロットマシン１００の外部構造を概説すると、スロットマシン１００は、遊技者に面するフロントドア１０１と、フロントドア１０１が開閉可能に取り付けられた後述の筐体１０２とを備えて構成されている。
【００１９】
フロントドア１０１は、機械的に強固な硬質プラスチックで成形された上部パネル部１０３と中部パネル部１０４及び下部パネル部１０５とを備えて構成されている。
【００２０】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄが設けられている。
【００２１】
中部パネル部１０４には、透明な硬質プラスチック板で形成された略長方形の透過窓ＷＤと、演出用ランプ１０４ａ，１０４ｂが設けられ、筐体１０２内に設けられている回胴リール装置２００の回胴リールＲ１，Ｒ２，Ｒ３を、遊技者が透過窓ＷＤを介して見ることが可能となっている。
【００２２】
更に中部パネル部１０４の下端には、遊技者が操作するための操作部１０４ｃが設けられ、当該操作部１０４ｃには、スロットマシンゲームを行うのに必要な遊技メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるためのストップボタンＳＰ１，ＳＰ２，ＳＰ３と、遊技者が獲得した遊技メダルの払い出しを指示するための精算ボタンＭＲが設けられている。
【００２３】
更に、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠操作すると、後述の施錠機構ＬＫを解除し、フロントドア１０１を筐体１０２から開くことが可能となっている。
【００２４】
下部パネル部１０５には、本スロットマシン１００のゲーム内容を紹介等するための画像（図示略）が描かれており、更に遊技者の獲得した枚数の遊技メダルを払い出すための排出口１０５ａ及び受皿１０５ｂと、スピーカが取り付けられた放音部１０５ｃが設けられている。
【００２５】
次に、図２を参照して、フロントドア１０１の裏面構造と、筐体１０２の内部構造を概説する。なお、図２はフロントドア１０１を開錠して筐体１０２から開いた状態を表している。
【００２６】
同図において、フロントドア１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられている。
【００２７】
更に演出表示装置１０３ｄの裏面側には、電気回路基板で形成されたサブ制御基板３００が取り付けられている。
【００２８】
すなわち、サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１０３ｄの裏面側に重なるようにして取り付けられている。
【００２９】
演出表示装置１０３ｄとサブ制御基板３００の下方には、上述の透過窓ＷＤと中部パネル部１０４のパネル面とが形成された略長方形の枠体１０４ｄが取り付けられている。
【００３０】
枠体１０４ｄの下方には、メダル投入部ＭＤより投入される投入物を正規の遊技メダルか異物か判別して振り分けるセレクト機構Ｇ０と、セレクト機構Ｇ０で振り分けられた遊技メダルを筐体１０２側に設けられているホッパ装置ＨＰへ案内するガイド部材Ｇ１と、セレクト機構Ｇ０で振り分けられた異物を排出口１０５ａへ案内するガイド部材Ｇ２と、ホッパ装置ＨＰから出力される払い出し用のメダルを排出口１０５ａへ案内するガイド部材Ｇ３が設けられ、更に排出口１０５ａの近傍に、放音部１０５ｃを構成するスピーカＳＷが取り付けられている。
【００３１】
上述の枠体１０４ｄとセレクト機構Ｇ０との間には、長尺状の電気回路基板で形成された中央表示基板４００が取り付けられており、当該中央表示基板４００の一端に、発光ダイオードで形成されセグメント表示を行う設定表示素子ＣＴと、設定ボタンＣＳとが設けられている。
【００３２】
すなわち、中央表示基板４００もサブ制御基板３００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、更に設定表示素子ＣＴと設定ボタンＣＳとが搭載されて配線接続されている。
【００３３】
更に、セレクト機構Ｇ０の側方に上述の施錠機構ＬＫが設けられ、筐体１０２の一端にロック部材ＬＯが固定されている。そして、フロントドア１０１を筐体１０２側に閉じると、施錠機構ＬＫがロック部材ＬＯに嵌着することによってフロントドア１０１を施錠し、一方、上述したように正規の鍵で開錠操作すると、施錠機構ＬＫがロック部材ＬＯから外れることによってフロントドア１０１を開錠することが可能となっている。
【００３４】
次に、筐体１０２内には、主電源装置ＰＷＵと、ホッパ装置ＨＰから溢れた遊技メダルを収容するための補助貯留部ＳＨＰが設けられる他、上述の透過窓ＷＤに対向する回胴リールＲ１，Ｒ２，Ｒ３とこれら回胴リールＲ１，Ｒ２，Ｒ３を回転駆動する電動モータ（図示略）とを備えた回胴リール装置２００が設けられている。
【００３５】
更に、主電源装置ＰＷＵの側面には電源装置基板５００、回胴リール装置２００の上端には回胴装置基板６００、回胴リール装置２００の上方には主制御基板７００、筐体１０２の内壁の一端には外部集中端子基板としての外部集中端子基板８００が取り付けられている。
【００３６】
すなわち、電源装置基板５００と、回胴装置基板６００、主制御基板７００、外部集中端子基板８００も、上述のサブ制御基板３００及び中央表示基板４００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００３７】
ただし、サブ制御基板３００と主制御基板７００は、夫々硬質プラスチックの保護ケース内に個別に収納されたユニット構造となっている。
【００３８】
以上のような構成を備えたスロットマシンにおいて回動リールＲ１，Ｒ２，Ｒ３を纏めた回胴リール装置２００は、図３および図４（Ａ）に示すように、各回胴リールＲ１，Ｒ２，Ｒ３のそれぞれを対象として個別に設けたリールユニット２００Ａ、２００Ｂ，２００Ｃを備えている。
各リールユニット２００Ａ，２００Ｂ，２００Ｃは、遊技機の筐体１０２側に設けられたフレームで構成されたリール部材設置部１０２Ａに対して、図４（Ｂ）に示すように、符号Ｐ１で示す初期位置に対して符号Ｐ２，Ｐ３で示す位置に向けて遊技機の前後方向に移動できるようになっている。以下、この構成について説明する。
【００３９】
図５は、図３において符号Ｒ２で示した回胴リールを対象とするリールユニット２００Ｂの外観図（Ａ）および（Ａ）中において符号（Ｂ）で示す部分で内部を開放した状態の図面（Ｂ）であるが、他のリールユニットにおいても同様な構成であることを前置きしておく。
図５において、リールユニット２００Ｂは、回胴リールＲ２の回転軸を支持する支持ケーシング２００Ｂ１を備え、支持ケーシング２００Ｂ１は設置部１０２Ａに設けられている基部１０２Ｂにおいて前後方向に移動される構成を備えている。
【００４０】
支持ケーシング２００Ｂ１は、図示しないが回胴リールＲ２の回転中心に設けられている回転支軸およびこれの回転駆動源であるステッピングモータをそれぞれ纏めて支持することができるケーシングであり、底板２００Ｂ２には、前後と直角な方向で一対のラック部２００Ｂ３および車輪をなすコロ２００Ｂ４が設けられている。
ラック部２００Ｂ３は、後述する駆動源との連動部として用いられ、コロ２００Ｂ４は、筐体１０２側に設けてある回胴リール装置２００の設置部１０２Ａに対して転動する部材として用いられる。なお、コロ２００Ｂ４は、転動することで支持ケーシング２００Ｂ１が移動する際の抵抗を低減する機能を備えているものであり、この機能を達成するための構成としては、低摩擦係数部材を用いて支持ケーシング２００Ｂ１を摺動（スライド）させる構成を用いることも可能である。
【００４１】
筐体１０２側で回胴リール装置２００を支持するための設置部１０２Ａ（図３参照）には、一つのリールを対象として、その全体構成（図５（Ａ））、および支持ケーシング２００Ｂ１の一部を取り除いた状態（図５（Ｂ））をそれぞれ示す図５において、支持ケーシング２００Ｂ１の側壁に対向した立ち上がり片１０２Ａ１、およびこれら立ち上がり片１０２Ａ１の基部１０２Ｂを備えている。
立ち上がり片１０２Ａ１には、支持ケーシング２００Ｂ１の移動方向に平行した長手方向を有する長孔１０２Ａ２が形成されており、この長孔１０２Ａ２には、支持ケーシング２００Ｂ１の側壁に設けられているガイドピン１０００が嵌合している。なお、ガイドピン１０００は、長孔１０２Ａ２内を摺動する構成であるので、低摩擦係数を有する樹脂などが用いられ、また、摺動させる代わりにコロなどを用いることもできる部材である。
【００４２】
設置部１０２Ａの基部１０２Ｂは、図５および図６に示すように、支持ケーシング２００Ｂ１を前後に移動させるための駆動部が備えられた部分であり、図５および図６に示すように、内部に支持ケーシング２００Ｂ１の底板２００Ｂ２に設けてあるラック部２００Ｂ３に噛み合い可能なピニオンギヤＭ１を出力軸に備えたステッピングモータＭが設けられている。
【００４３】
基部１０２Ｂには、立ち上がり片１０２Ａ、１０２Ａ２の内側が平坦面とされ、この平坦面には、支持ケーシング２００Ｂ１に設けられているコロ２００Ｂ４が載置されて転動させることができるようになっている。
【００４４】
本実施例においてリールユニットの前後動作を司る制御は、主制御基板７００あるいはサブ制御基板３００などにおいて実行されるようになっている。このため、これら制御基板では、ストップボタン（便宜上、回胴リールＲ２に対応するものとして符号ＳＰ２で示す）による停止指令および抽選結果に応じて選択したあるいは全ての支持ケーシングを前後動させることができる。
つまり、ストップボタンの操作によって入賞判定の抽選が行われて入賞判定した場合には、強制的に該当する回胴リールが入賞パターンに対応する図柄を表示できる位置において停止する制御が行われるのに合わせて、ストップボタンの操作順で最後のストップボタンが操作される際に該当する回胴リールを備えたリールユニットが所定位置から前方に移動して回胴リールを見やすい状態とする。
また、これとは別に、リーチ目の状態の回胴リールを対象として遊技者が意図的に回胴リールの図柄を選択できるようにストップボタンの操作タイミングを図る目押しを行う場合において、その目押しの対象となる回胴リールを備えたリールユニットを上述した場合と同様に、初期位置から前方に移動させて入賞状態がねらいやすいように回胴リールを見やすくする。
【００４５】
一方、入賞判定の抽選において入賞に該当しない場合には、上述した場合とは逆に、回胴リールを所定位置から後方に移動させて入賞しない状態であることを遊技者にわかりやすくする。
また、上述したような移動形態は、ストップボタンの操作される順に応じて移動させるようにしたり、あるいは段階的な前後移動を行わせることもでき、さらには前後に転属的な往復移動させることもでき、抽選結果に対応するだけでなく、ＢＥＴボタンが操作された後のストップボタンの操作時でのねらい目などをわかりやすくするというような演出効果を醸し出すことができる。
【００４６】
本実施例は以上のような構成であるから、図７に示すフローチャートにより主制御基板７００で行われるリールユニットの前後動作に関する作用を説明すると次の通りである。
図７は、リールユニットの動作ルーチンを示しており、同図において、ストップボタンからの停止指令が得られると（ＳＴ１）、入賞判別のための抽選が行われる（ＳＴ２）。
この場合には、ストップボタンの操作順に従ってリールユニットを移動させることができ、この場合には、ストップボタンの操作順に従って回胴リールが前方に移動して回胴リールが見やすくされる。
入賞判別の抽選結果において、入賞状態にある時には、ビッグボーナスやレギュラーボーナスなどをはじめとする各入賞モードに対応させて全ての回胴リールを前方に移動させたりあるいは目押しが行われる回胴リールをストップボタンの操作状態から判別して選択することにより前方に移動させて回胴リールを見やすくする（ＳＴ３）。
【００４７】
一方、ステップＳＴ２において実施された入賞判定のための抽選において入賞しない、いわゆる外れモードであった場合には、外れモードに対応したリールユニットの移動が行われる。この場合には、リールユニットを初期位置に維持させる場合も含み、回胴リールを初期位置から後退させて、遊技者に外れたことを認識しやすくする（ＳＴ４）。
これら一連の処理は、全てのストップボタンが操作されると初期化され、各リールユニットは初期位置に戻されて次回の遊技に備えられる。
なお、本実施例では、リールユニットとして、抽選結果を表示できるリールを対象とすることに限らず、抽選結果用とは別に演出用に設けたリールを対象とすることも可能である。さらに、本実施例では、スロットマシンを遊技機の対象として挙げたが、本発明では、パチンコ機やゲーム機などを対象とすることも可能である。
【図面の簡単な説明】
【００４８】
【図１】本発明の実施例による遊技機の一例を示すスロットマシンの外観構造を概略的に示した平面図である。
【図２】図１に示したスロットマシンの内部構造を概略的に示した平面図である。
【図３】図１に示したスロットマシンに用いられるリールユニットを遊技機に組み込んだ状態を示す一部構造の外観図である。
【図４】本発明実施例によるスロットマシンのリールユニットの動作状態を説明するための模式図であり、（Ａ）は正面図、（Ｂ）は側面視の状態図である。
【図５】図４に示したリールユニットの構成を説明するための図であり、（Ａ）は外観図、（Ｂ）は（Ａ）中、符号（Ｂ）で示す位置で開放した状態を示す図である。
【図６】図５に示したリールユニットの詳細構成を示す図であり、（Ａ）は側面視の状態を、（Ｂ）は正面視の状態を、（Ｃ）は（Ｂ）中で符号（Ｃ）で示す部分を拡大した状態をそれぞれ示している。
【図７】図４に示したリールユニットの前後動作の作用を説明するためのフローチャートである。
【符号の説明】
【００４９】
１００                        スロットマシン
１０２                        筐体
１０２Ａ                      リールユニットの設置部
１０２Ｂ                      基部
２００Ａ、２００Ｂ，２００Ｃ  リールユニット
２００Ｂ１                    支持ケーシング
２００Ｂ２                    底板
２００Ｂ３                    ラック部
２００Ｂ４                    コロ
Ｍ                            ステッピングモータ
Ｍ１                          ピニオンギヤ
【図１】
2005270207.tif 000003
【図２】
2005270207.tif 000004
【図３】
2005270207.tif 000005
【図４】
2005270207.tif 000006
【図５】
2005270207.tif 000007
【図６】
2005270207.tif 000008
【図７】
2005270207.tif 000009